(57)【要約】【目的】無駄な番組情報の提示を極力回避し、番組ガイド表示上での操作の利便性を向上させることができるディジタル放送受信装置を提供する。【構成】ＯＳＤ回路１２はＣＰＵ１３から出力指示された文字情報や色情報に基づく映像データを生成する。この映像データは加算器２０によって受信映像に重畳される。ＣＰＵ１３がメモリ１４から読み出したＥＰＧデータに基づく文字情報等をＯＳＤ回路１２に与えることで、画面にＥＰＧ表示が行なわれる。ＣＰＵ１３は、ＥＰＧ表示の対象となる所定時間帯の複数チャンネルについて同一番組が放送されるかどうかを判定する。同一番組が放送されると判定した複数チャンネルについては前記所定時間帯のＥＰＧ表示領域上で１チャンネル分とした表示を実行する。【選択図】図１
2004208187.tif 000002
【特許請求の範囲】
【請求項１】
番組ガイド表示の対象となる所定時間帯の複数チャンネルについて同一番組が放送されるかどうかを判定する手段と、同一番組が放送されると判定した複数チャンネルについては前記所定時間帯の番組ガイド表示領域上で１チャンネル分とした表示を実行する手段と、を備えたことを特徴とするディジタル放送受信装置。
【請求項２】
請求項１に記載のディジタル放送受信装置において、同一番組が放送されるとの判定は、少なくとも番組名と番組開始時刻と番組終了時刻の一致を要件とするように構成されたことを特徴とするディジタル放送受信装置。
【請求項３】
請求項１又は請求項２に記載のディジタル放送受信装置において、同一番組が放送されるとの判定は、複数のチャンネルでイベント共有されていることを示す記述が存在することを要件とするように構成されたことを特徴とするディジタル放送受信装置。
【発明の詳細な説明】
【０００１】
【産業上の利用分野】
この発明は、番組ガイドデータに基づいて番組ガイド表示を行なうことができるディジタル放送受信装置に関する。
【０００２】
【従来の技術】
衛星や地上波を用いたディジタル放送を受信するディジタル放送受信装置は、衛星アンテナや地上波アンテナを通して受け取った複数の放送波のなかから任意の放送波をディジタルチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
このようなディジタル放送では、番組情報がＥＩＴ（Ｅｖｅｎｔ  Ｉｎｆｏｒｍａｔｉｏｎ  Ｔａｂｌｅ）と呼ばれるテーブルにてデータで送出されており、受信装置側では、複数のチャンネル分のＥＩＴを取得し、その情報を基に番組ガイド（ＥＰＧ：  Ｅｌｅｃｔｒｏｎｉｃ  Ｐｒｏｇｒａｍ  Ｇｕｉｄｅ）を作成し、ユーザの操作により提示している。なお、番組ガイドの表示を見やすくしたディジタル放送受信装置が知られている（特許文献１参照）。
【０００４】
【特許文献１】
特開２００２−１１２１４４号公報
【０００５】
【発明が解決しようとする課題】
ディジタル放送では、放送局は一つの周波数帯において、複数のチャンネルを持つことができるが、送出できる帯域が決まっているため、ＨＤ（Ｈｉｇｈ  Ｄｅｆｉｎｉｔｉｏｎ）で送出する場合にはその複数のチャンネルで異なる番組を送ることは物理的に不可能となる。このような場合、複数のチャンネルで同一内容の番組を放送しているかのようにＥＰＧ表示が行なわれる。図３（ａ）に従来の受信装置による同一番組の表示例を示す。この例では、一画面に４チャンネル３時間分の番組欄が表示されているが、ＣＨ１０１、ＣＨ１０２、ＣＨ１０３の番組欄は番組名が同じであるために、利用者の得られる情報は、実質２チャンネル分しかなくなってしまう。そのため、利用者は無駄な情報を見せられることになり、より多くの情報を得るためには、無駄なキー操作を行う必要がある。また、図４（ａ）も従来の受信装置による同一番組の表示例を示したものであるが、ＥＰＧ画面の表示時間帯である１時から３時において、ＣＨ１０１及びＣＨ１０２の番組Ａは共通となっている。
【０００６】
この発明は、上記の事情に鑑み、無駄な番組情報の提示を極力回避し、番組ガイド表示上での操作の利便性を向上させることができるディジタル放送受信装置を提供することを目的とする。
【０００７】
【課題を解決するための手段】
この発明のディジタル放送受信装置は、上記課題を解決するために、番組ガイド表示の対象となる所定時間帯の複数チャンネルについて同一番組が放送されるかどうかを判定する手段と、同一番組が放送されると判定した複数チャンネルについては前記所定時間帯の番組ガイド表示領域上で１チャンネル分とした表示を実行する手段と、を備えたことを特徴とする。
【０００８】
上記の構成であれば、番組ガイド表示の対象となる所定時間帯において同一番組が放送されると判定された複数チャンネルは纏めて１チャンネル分として表示されることになるので、無駄な番組情報の提示が極力回避され、従って、他のチャンネルの情報を見るためのスクロール操作等を行なう必要も少なくなり、番組ガイド表示上での操作の利便性が向上する。
【０００９】
同一番組が放送されるとの判定は、少なくとも番組名と番組開始時刻と番組終了時刻の一致を要件とするように構成されていてもよい。また、同一番組が放送されるとの判定は、複数のチャンネルでイベント共有されていることを示す記述が存在することを要件とするように構成されていてもよい。
【００１０】
【発明の実施の形態】
以下、この発明の実施形態のディジタル放送受信装置を図１乃至図４に基づいて説明する。
【００１１】
アンテナ１は、屋外において所定の方向に向けて配置されており、衛星から送られてくるディジタル放送信号を受信する。このアンテナ１は、一般に周波数変換器を備え、受信／周波数変換した信号をチューナ２に与える。
【００１２】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１３】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）などに分離する。デマルチプレクサ３は、ビデオストリームとオーディオストリームをＡＶデコーダ４に供給し、ＰＳＩ／ＳＩ等をＣＰＵ１３に供給する。
【００１４】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１５】
映像処理回路５はＡＶデコーダ４から映像データを受け取ってＤ／Ａ変換を行い、例えばコンポジット映像信号に変換する。音声処理回路６はＡＶデコーダ４から出力された音声データを受け取ってＤ／Ａ変換を行い、例えば右（Ｒ）音のアナログ信号及び左（Ｌ）音のアナログ信号を生成する。
【００１６】
映像処理回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってＣＲＴ１６ａ及びスピーカ１６ｂを備えるモニタ１６が接続される。
【００１７】
ＯＳＤ（オンスクリーンディスプレイ）回路１２は、ＣＰＵ１３から出力指示された文字情報や色情報に基づく映像データを加算器２０に出力する。加算器２０は前記映像データをＡＶデコーダ４から出力される受信映像データに重畳する処理を行う。上記ＯＳＤ回路１２により、ＥＰＧ画面やメニュー画面などの表示が行えることになる。
【００１８】
リモコン送信機１０は、各種のキーを備えて当該放送受信装置３０に各種指令を送出するものであり、前記キーを操作すると、そのキーに対応した指令を意味する信号光（リモコン信号）が発光部から送出される。リモコン受光器１１は、前記信号光を受光し、これを電気信号に変換してＣＰＵ１３に与える。
【００１９】
メモリ（例えば、ＲＡＭ、ＲＯＭ、ＥＥＰＲＯＭ、フラッシュメモリ等）１４には、ＥＰＧ画面を表示するためのデータ、ＥＰＧ画面の表示処理を行なうソフトウェア等が格納される。また、メモリ１４は、前記ソフトウェアの処理において情報の一時的格納（後述する配列ＣＨの番号記憶等）にも利用される。
【００２０】
ＣＰＵ１３は、このディジタル放送受信装置３０における全体制御を行うものであるが、特にこの発明にかかる処理として、以下に述べるごとく、ＥＰＧ画面の表示処理を実行する。
【００２１】
図２は、ＥＰＧ画面の表示処理を説明したフローチャートである。なお、このＥＰＧ画面例では、４チャンネル３時間分の番組欄が一画面に表示できることとしている。ユーザが、例えばリモコン送信機１０に設けられた「ＥＰＧ」キーを押下すると（ステップＳ１）、ＣＰＵ１３は、配列ＣＨ１、ＣＨ２、ＣＨ３、ＣＨ４をそれぞれ初期化し、パラメータＮ１、Ｎ２、Ｎ３、Ｎ４に０を設定し、メモリ１４からＥＰＧデータを読み出す（ステップＳ２）。そして、最初にＥＰＧ画面に表示するチャンネル（例えば、ユーザが視聴中であったチャンネルを含む４チャンネル）についてチャンネル番号を取得し、ＥＰＧ画面において左端に配置されるチャンネルからそのチャンネル番号をＣＨ１［０］、ＣＨ２［０］、ＣＨ３［０］、ＣＨ４［０］に格納する（ステップＳ３）。
【００２２】
ＣＰＵ１３は、ＣＨ１［０］により示される番号のチャンネルとその左側のチャンネル（例えば、数値の小さい側に隣接するチャンネル）の表示時間帯内の番組情報（番組名及び開始時刻及び終了時刻）が一致するか（同一番組であるか）どうかを判断する（ステップＳ４）。一致した場合には、配列ＣＨ１の先頭に前述の左のチャンネルのチャンネル番号を挿入する。すなわち、ＣＨ１［０］で示される番号をＣＨ１［１］に引き継がせ（ＣＨ１［Ｎ１＋１］←ＣＨ１［Ｎ１］）、ＣＨ１［０］には前記左のチャンネルの番号を設定し、Ｎ１をカウントアップする（ステップＳ５）。そして、ステップＳ４に戻り、ＣＨ１［０］とその左のチャンネルの番組情報が不一致となるまで処理を続ける。ここで、ＣＨ１［０］により示される番号のチャンネルと同一番組のチャンネルが１つ存在しているとすれば、配列ＣＨ１において、ＣＨ１［０］とＣＨ１［１］とによる二つのチャンネル番号が管理されることになる。
【００２３】
ステップＳ４でＮＯであるときには、ＣＨ１［０］とＣＨ２［０］の表示時間帯内の番組情報が一致するかどうかを判断する（ステップＳ６）。一致した場合には、配列ＣＨ１の最後尾にＣＨ２［０］で示される番号をＣＨ１［Ｎ１＋１］として挿入し、ＣＨ３［０］で示される番号をＣＨ２［０］に引き継がせ、ＣＨ４［０］で示される番号をＣＨ３［０］に引き継がせ、ＣＨ４［０］の右側のチャンネル（例えば、数値の大きい側の隣接するチャンネル）のチャンネル番号をＣＨ４［０］に設定し、Ｎ１をカウントアップする（ステップＳ７）。そして、ステップＳ６に戻り、ＣＨ１［０］とＣＨ２［０］の番組情報が不一致となるまで処理を続ける。ここで、ＣＨ１［０］により示される番号のチャンネルと同一番組のチャンネルが１つ存在しているとすれば、配列ＣＨ１において、ＣＨ１［０］とＣＨ１［１］とＣＨ１［２］（ＣＨ１［２］はＣＨ２［０］の内容）による三つのチャンネル番号が管理されることになる。
【００２４】
ステップＳ６でＮＯであるときには、ＣＨ２［０］とＣＨ３［０］の表示時間帯内の番組情報が一致するかどうかを判断する（ステップＳ８）。一致した場合には、配列ＣＨ２の最後尾にＣＨ３［０］で示される番号をＣＨ２［Ｎ２＋１］として挿入し、ＣＨ４［０］で示される番号をＣＨ３［０］に引き継がせ、ＣＨ４［０］の右側のチャンネルのチャンネル番号をＣＨ４［０］に設定し、Ｎ２をカウントアップする（ステップＳ９）。そして、ステップＳ８に戻り、ＣＨ２［０］とＣＨ３［０］の番組情報が不一致となるまで処理を続ける。
【００２５】
ステップＳ８でＮＯであるときには、ＣＨ３［０］とＣＨ４［０］の表示時間帯内の番組情報が一致するかどうかを判断する（ステップＳ１０）。一致した場合には、配列ＣＨ３の最後尾にＣＨ４［０］で示される番号をＣＨ３［Ｎ３＋１］として挿入し、ＣＨ４［０］の右側のチャンネルのチャンネル番号をＣＨ４［０］に設定し、Ｎ３をカウントアップする（ステップＳ１１）。そして、ステップＳ１０に戻り、ＣＨ３［０］とＣＨ４［０］の番組情報が不一致となるまで処理を続ける。
【００２６】
ステップＳ１０でＮＯであるときには、ＣＨ４［Ｎ４］とその右側のチャンネルの表示時間帯内の番組情報が一致するかどうかを判断する（ステップＳ１２）。一致した場合には、配列ＣＨ４の最後尾に右側のチャンネルのチャンネル番号をＣＨ４［Ｎ４＋１］として挿入し、Ｎ４をカウントアップする（ステップＳ１３）。そして、ステップＳ１２に戻り、ＣＨ４［Ｎ４］とその右側のチャンネルの番組情報が不一致となるまで処理を続ける。
【００２７】
上記の処理により、表示時間帯内の番組情報が一致するチャンネルは同一の配列に属することになるので、上記の配列ＣＨ１，配列ＣＨ２，配列ＣＨ３，配列ＣＨ４に基づいて、各配列に属するチャンネル番号を表記するチャンネル表示部及び番組情報に基づくＥＰＧ画面表示データを生成し（ステップＳ１４）、ＯＳＤ回路１２によってＥＰＧ画面を表示することになる（ステップＳ１５）。
【００２８】
図３（ａ）に示したように、従来のＥＰＧ画面では、表示時間帯である１時から３時において、番組（番組情報）が共通であるＣＨ１０１からＣＨ１０３のそれぞれが表示されてしまうのに対し、前記の処理が行なわれることにより、図３（ｂ）に示すように、ＣＨ１の配列に属するＣＨ１０１からＣＨ１０３は左端の列にまとめて表示され、チャンネル表示部には「ＣＨ１０１−ＣＨ１０３」と表示されることになる。これにより、従来のＥＰＧ画面ではＣＨ１０１からＣＨ１０３（共通番組Ａ及びＢ）の他にはＣＨ１１０の情報しか表示できなかったのに対し、図３（ｂ）に示したごとく、ＣＨ１１１とＣＨ１１２の情報が一画面で表示されることになる。
【００２９】
また、図４（ａ）に示したように、従来のＥＰＧ画面では、表示時間帯である１時から３時において、ＣＨ１０１からＣＨ１０３において番組Ａが共通で番組ＢはＣＨ１０１及びＣＨ１０２でのみ共通である場合、この図のように表示されることになる。ここで、未表示であるＣＨ１００はＣＨ１０１及びＣＨ１０２と表示時間帯内において番組情報が共通することとする。前記の処理が行なわれることにより、図４（ｂ）に示すように、ＣＨ１の配列に属するＣＨ１００乃至ＣＨ１０２は左端の列にまとめて表示され、チャンネル表示欄には「ＣＨ１００―ＣＨ１０２」と表示されることになる。また、ＣＨ１０３については、３時以降の番組がＣＨ１０１及びＣＨ１０２と異なるため配列ＣＨ２に属することとなり、左から２番目の列に表示される。このように、従来のＥＰＧ画面ではＣＨ１０１からＣＨ１０３の他にはＣＨ１１０の情報しか表示されていなかったのに対し、図４（ｂ）に示したごとく、更にＣＨ１１１の情報が一画面で表示されることになる。
【００３０】
なお、縦方向のスクロール操作によって表示時間帯が変化することとなれば、この変化した表示時間帯について上述した処理を実行することになる。また、横方向スクロール操作が行なわれたときには、例えば、図４（ｂ）の表示例であれば、ＣＨ１００―ＣＨ１０２は配列ＣＨ２に属するものとなり、ＣＨ１０３は配列ＣＨ３に属するものとなり、ＣＨ１１０は配列ＣＨ４に属するものとなり、ＣＨ１１１は非表示となる。そして、ＣＨ１００の左側のチャンネルがＣＨ９９であれば、ＣＨ９９（又はこれを含む複数のチャンネル）が配列ＣＨ１に属するものとなって表示される。
【００３１】
なお、上記実施形態では、同一番組が放送されるとの判定は番組名と番組開始時刻と番組終了時刻の一致を要件としたが、更に、放送局情報などの他の情報を勘案して厳密な一致判定を行なうようにしてもよい。また、かかる判定は、複数のチャンネルでイベント共有されていることを示す記述が存在することを要件としてもよい。
【００３２】
【発明の効果】
以上説明したように、この発明によれば、番組ガイド表示の対象となる所定時間帯において同一番組が放送されると判定された複数チャンネルは纏めて１チャンネル分として表示されることになるので、無駄な番組情報の提示が極力回避され、従って、他のチャンネルの情報を見るためのスクロール操作等を行なう必要も少なくなり、番組ガイド表示上での操作の利便性が向上する。
【図面の簡単な説明】
【図１】この発明の実施形態のディジタル放送受信装置を示したブロック図である。
【図２】この発明の実施形態のディジタル放送受信装置の処理内容を示したフローチャートである。
【図３】番組ガイド表示を例示した説明図であって、同図（ａ）は比較のために示した従来装置の番組ガイド表示であり、同図（ｂ）はこの発明の実施形態における番組ガイド表示である。
【図４】番組ガイド表示を例示した説明図であって、同図（ａ）は比較のために示した従来装置の番組ガイド表示であり、同図（ｂ）はこの発明の実施形態における番組ガイド表示である。
【符号の説明】
１    アンテナ
２    チューナ
３    デマルチプレクサ（ＤＥＭＵＸ）
４    ＡＶデコーダ
１２  ＯＳＤ回路
１３  ＣＰＵ
１４  メモリ
【図１】
2004208187.tif 000003
【図２】
2004208187.tif 000004
【図３】
2004208187.tif 000005
【図４】
2004208187.tif 000006